(57)【要約】      （修正有）【課題】インナーディスクアセンブリの気密シール効果を最適化し、化粧品品質を長期間保持でき、使い方が便利である交換式エアークッションパウダーボックスを提供する。【解決手段】交換式エアークッションパウダーボックスは、外箱体と外箱蓋１１とを含む外箱アセンブリと、インナーディスクアセンブリとを含む。外箱体は、上下面にそれぞれ開口する収容室を形成し、外箱蓋は外箱体に枢着し、収容室の上側開口を開閉することができ、インナーディスクアセンブリは、中スリーブとインナーディスク２１とを含み、中スリーブはインナーディスクの開口側に螺着され、インナーディスクとともに同軸的に収容室に内蔵され、中スリーブは収容室の上側開口に係止され、インナーディスクの底部は収容室の下側開口に対して突出または縮退することができる。【選択図】図２
0003220493.tif 000002
【実用新案登録請求の範囲】
【請求項１】
外箱体（１０）と外箱蓋（１１）とを含む外箱アセンブリ（１）と、インナーディスクアセンブリ（２）とを含む交換式エアークッションパウダーボックスであって、
収容室は前記外箱体（１０）に形成され、前記外箱体（１０）の上下面にそれぞれ開口し、前記外箱体（１０）の上側開口と下側開口とを形成し、
前記外箱蓋（１１）は前記外箱体（１０）に枢着され、前記収容室の上側開口を開閉することができ、
前記インナーディスクアセンブリ（２）は、中スリーブ（２０）とインナーディスク（２１）とを含み、前記インナーディスク（２１）は開口を有し化粧品を置くために用いられ、前記中スリーブ（２０）は前記インナーディスク（２１）の開口側に螺着され、前記インナーディスク（２１）とともに同軸的に前記収容室に内蔵され、前記中スリーブ（２０）は前記収容室の上側開口に係止され、前記インナーディスク（２１）の底部は前記収容室の下側開口に対して突出または縮退することができる、
ことを特徴とする交換式エアークッションパウダーボックス。
【請求項２】
前記外箱体（１０）は、上下両側が共に開口する中空円柱状の基部（１００）と、前記基部（１００）の下側開口の縁に一体に形成され、径方向の内向きに延伸するフランジ（１０１）とを有し、前記基部（１００）は、前記フランジ（１０１）とともに前記収容室を囲んで形成し、
前記外箱蓋（１１）の一方側はヒンジを介して前記基部（１００）の一方側の外壁に枢着され、前記外箱蓋（１１）の他方側には第１フックが設けられ、前記基部（１００）の他方側の外壁には前記第１フックに係合する第２フックが一体に形成され、前記第１フックは前記第２フックに係脱可能である、
ことを特徴とする請求項１に記載の交換式エアークッションパウダーボックス。
【請求項３】
前記外箱蓋（１１）には、その一方側寄りの位置にＬ型後リブ（１２）が固定的に設けられ、前記Ｌ型後リブ（１２）は、弾性を有し、前記基部（１００）の外壁に弾性的に当接する、
ことを特徴とする請求項２に記載の交換式エアークッションパウダーボックス。
【請求項４】
前記外箱蓋（１１）で前記収容室の上側開口を閉鎖する状態を基準として、前記外箱蓋（１１）の前記収容室に向かう内側面にレンズ（１３）が固定的に設けられる、
ことを特徴とする請求項１に記載の交換式エアークッションパウダーボックス。
【請求項５】
前記中スリーブ（２０）は、第１中スリーブ（２０１）と第２中スリーブ（２０２）とを含み、
前記中スリーブ（２０）が前記インナーディスク（２１）の開口側に螺着された状態を基準として、前記第１中スリーブ（２０１）は、円板状の第１本体（２０１０）と、前記第１本体（２０１０）の縁から前記インナーディスク（２１）の後ろ向きに延出し形成された延出部（２０１１）と、前記延出部（２０１１）の外側壁から径方向外側に延出し形成された連結部（２０１２）とを含み、
前記第２中スリーブ（２０２）は、上下両側がともに開口した中空円柱状の第２本体（２０２０）と、前記第２本体（２０２０）の上側開口の縁から径方向外向きに延出し下向きに折り曲げて形成された折り曲げ部（２０２１）と、前記第２本体（２０２０）の内側壁から径方向内向きに延出し形成された当接部（２０２２）とを含み、
前記連結部（２０１２）の一方側は、前記折り曲げ部（２０２１）の一方側に枢着され一体射出成形され、前記第１本体（２０１０）は、前記第２本体（２０２０）の上側開口を開閉することができ、
前記インナーディスク（２１）は、上側が開口した中空円柱構造であるインナーディスク本体（２１０）を有し、前記中空円柱構造の外側壁に雄ねじ段が形成され、前記第２本体（２０２０）の内側壁には、前記雄ねじ段に係合する雌ねじ段が形成される、
ことを特徴とする請求項２に記載の交換式エアークッションパウダーボックス。
【請求項６】
前記第１本体（２０１０）で前記第２本体（２０２０）の上側開口を閉鎖する状態を基準として、前記延出部（２０１１）の外側壁には、前記当接部（２０２２）に向かって同軸状に配置された二つの第１気密バー（２０１３）が設けられ、
前記当接部（２０２２）の前記延出部（２０１１）に向かう側面に、前記延出部（２０１１）に向かって延伸して一体形成された第２の気密バー（２０２３）が設けられ、
前記第２の気密バー（２０２３）は、二つの第１気密バー（２０１３）の間に挿入され、前記第２の気密バー（２０２３）は、内側に位置する第１気密バー（２０１３）に貼り合わせられ、外側に位置する他方の第１気密バー（２０１３）は、前記第２本体（２０２０）の内側壁に貼り合わされ、
前記第２本体（２０２０）の内側壁には、前記当接部（２０２２）と雌ねじ段との間の位置に、複数の気密リブ（２２）が嵌合される、
ことを特徴とする請求項５に記載の交換式エアークッションパウダーボックス。
【請求項７】
前記中スリーブ（２０）が前記収容室の上側開口に係合される構造は、
前記基部（１００）の内側壁には、上側開口に近い位置に、前記基部（１００）の内側壁に凹んだ窪みが形成され、
前記折り曲げ部（２０２１）の前記基部（１００）の外側壁に向かう外側壁に、前記基部の径方向外向きに延伸する二つの凸リブ（２０２４）が形成され、
前記凸リブ（２０２４）は、下方に位置する一方の凸リブの径方向の幅が上方に位置する他方の凸リブの径方向の幅より小さく、下方に位置する一方の凸リブは、前記窪みに自由に挿入でき、上方に位置する他方の凸リブは、前記基部（１００）の上側開口の縁に自由に置くことができる、
ことを特徴とする請求項５に記載の交換式エアークッションパウダーボックス。
【請求項８】
前記インナーディスク本体（２１０）の底部外壁には、動力源を収容する収容溝（２１１）が凹設される、
ことを特徴とする請求項５に記載の交換式エアークッションパウダーボックス。
【請求項９】
前記インナーディスク本体（２１０）の外側壁には、前記インナーディスク本体の周方向に延伸する摩擦リングベルト（２１３）が形成され、前記摩擦リングベルト（２１３）は、前記雄ねじ段の下方に位置する、
ことを特徴とする請求項５に記載の交換式エアークッションパウダーボックス。
【考案の詳細な説明】
【技術分野】
【０００１】
本考案は、化粧ボックス技術分野に関し、特に、エアークッションパウダーボックスに関する。
【背景技術】
【０００２】
化粧料は、通常、ポータブル化粧ボックス内に収容される。従来のパウダーボックス（コンパクト）は、箱本体と箱カバーを含み、箱本体は化粧品を収容する収容室を有し、箱カバーは箱本体に接続され収容室を開閉できる。使用者が化粧品を使用したい場合は、箱カバーを開ければよい。
【０００３】
上記従来のパウダーボックスは、構成が簡単で取り扱いが便利であるが、気密性が悪い欠点がある。化粧料は揮発性溶剤を含有するから、パウダーボックスの気密性が不良になると、化粧料中の揮発性溶剤が大気中に徐々に揮発し、さらに化粧料が硬化し、変質する。化粧料が無駄になる。
【考案の概要】
【考案が解決しようとする課題】
【０００４】
上記欠陥を克服するために、本考案は、簡単かつ斬新で、気密性がよく、インナーディスクの化粧品品質を長期間にわたって保持できるエアークッションパウダーボックスを提供することを目的とする。
【課題を解決するための手段】
【０００５】
本考案は、技術的課題を解決するためにエアークッションパウダーボックスを提供する。
【０００６】
交換式エアークッションパウダーボックスは、外箱体と外箱蓋とを含む外箱アセンブリと、インナーディスクアセンブリとを含み、
収容室は前記外箱体に形成され、前記外箱体の上下面にそれぞれ開口し、前記外箱体の上側開口と下側開口とを形成し、
前記外箱蓋は前記外箱体に枢着され、前記収容室の上側開口を開閉することができ、
前記インナーディスクアセンブリは、中スリーブとインナーディスクとを含み、前記インナーディスクは開口を有し化粧品を置くために用いられ、前記中スリーブは前記インナーディスクの開口側に螺着され、前記インナーディスクとともに同軸的に前記収容室に内蔵され、前記中スリーブは前記収容室の上側開口に係止され、前記インナーディスクの底部は前記収容室の下側開口に対して突出または縮退することができる。
【０００７】
好ましくは、前記外箱体は、上下両側が共に開口する中空円柱状の基部と、前記基部の下側開口縁に一体に形成され、径方向の内向きに延伸するフランジとを有し、前記基部は、前記フランジとともに前記収容室を囲んで形成し、
前記外箱蓋の一方側はヒンジを介して前記基部の一方側の外壁に枢着され、前記外箱蓋の他方側には第１フックが設けられ、前記基部の他方側の外壁には前記第１フックに係合する第２フックが一体に形成され、前記第１フックは前記第２フックに係脱可能である。
【０００８】
好ましくは、前記外箱蓋には、その一方側寄りの位置にＬ型後リブが固定的に設けられ、前記Ｌ型後リブは、弾性を有し、前記基部の外壁に弾性的に当接する。
【０００９】
好ましくは、前記外箱蓋で前記収容室の上側開口を閉鎖する状態を基準として、前記外箱蓋の前記収容室に向かう内側面にレンズが固定的に設けられる。
【００１０】
好ましくは、前記中スリーブは、第１中スリーブと第２中スリーブとを含み、
前記中スリーブが前記インナーディスクの開口側に螺着された状態を基準として、前記第１中スリーブは、円板状の第１本体と、前記第１本体の縁から前記インナーディスクの後ろ向きに延出し形成された延出部と、前記延出部の外側壁から径方向外側に延出し形成された連結部とを含み、
前記第２中スリーブは、上下両側がともに開口した中空円柱状の第２本体と、前記第２本体の上側開口の縁から径方向外向きに延出し下向きに折り曲げて形成された折り曲げ部と、前記第２本体の内側壁から径方向内向きに延出し形成された当接部とを含み、
前記連結部の一方側は、前記折り曲げ部の一方側に枢着され一体射出成形され、前記第１本体は、前記第２本体の上側開口を開閉することができ、
前記インナーディスクは、上側が開口した中空円柱構造であるインナーディスク本体を有し、前記中空円柱構造の外側壁に雄ねじ段が形成され、前記第２本体の内側壁には、前記雄ねじ段に係合する雌ねじ段が形成される。
【００１１】
好ましくは、前記第１本体で前記第２本体の上側開口を閉鎖する状態を基準として、前記延出部の外側壁には、前記当接部に向かって同軸状に配置された二つの第１気密バーが設けられ、
前記当接部の前記延出部に向かう側面に、前記延出部に向かって延伸して一体形成された第２の気密バーが設けられ、
前記第２の気密バーは、二つの第１気密バーの間に挿入され、前記第２の気密バーは、内側に位置する第１気密バーに貼り合わせられ、外側に位置する他方の第１気密バーは、前記第２本体の内側壁に貼り合わされ、
前記第２本体の内側壁には、前記当接部と雌ねじ段との間の位置に、複数の気密リブが嵌合される。
【００１２】
好ましくは、前記中スリーブが前記収容室の上側開口に係合される構造は、
前記基部の内側壁には、上側開口に近い位置に、前記基部の内側壁に凹んだ窪みが形成され、
前記折り曲げ部の前記基部の外側壁に向かう外側壁に、前記基部の径方向外向きに延伸する二つの凸リブが形成され、
前記凸リブは、下方に位置する一方の凸リブの径方向の幅が上方に位置する他方の凸リブの径方向の幅より小さく、下方に位置する一方の凸リブは、前記窪みに自由に挿入でき、上方に位置する他方のリブは、前記基部の上側開口の縁に自由に置くことができる。
【００１３】
好ましくは、前記インナーディスク本体の底部外壁には、動力源を収容する収容溝が凹設される。
【００１４】
好ましくは、前記インナーディスク本体の外側壁には、前記インナーディスク本体の周方向に延伸する摩擦リングベルトが形成され、前記摩擦リングベルは、前記雄ねじ段の下方に位置する。
【考案の効果】
【００１５】
本考案は、第１中スリーブ、第２中スリーブに、第１気密バー、第２気密バーを配置することにより、第１中スリーブと第２中スリーブとの間に気密シール効果を実現する。一方、第２本体内側壁に複数の気密リブを設けることにより、第２本体とインナーディスクとの間に気密シール効果が向上する。本考案は二重気密設計で、インナーディスクアセンブリの気密シール効果を最適化し、インナーディスク内の化粧料品質を長時間保持できる。本考案は、従来のパウダーボックスの使用方法と異なり、インナーディスクを収容室から回旋で出して使用し、あるいは、インナーディスクを中スリーブと共に収容室から上方へ突出させた後、インナーディスクと中スリーブとを回旋で分けて使用する。使い方は便利で斬新である。
【図面の簡単な説明】
【００１６】
【図１】本考案の前記交換式エアークッションパウダーボックスの斜視構造を示す図である。
【図２】本考案の前記交換式エアークッションパウダーボックスの断面構成図である。
【図３】本考案の前記インナーディスクアセンブリの断面構造を示す図である。
【図４】図３に示すＡ部の拡大構造を示す図である。
【図５】本考案の前記中スリーブの断面構造を示す図である。
【図６】本考案の前記インナーディスクの他の構成を示す図である。以下、図面に基づいて説明する。
【考案を実施するための形態】
【００１７】
以下の記載と、本考案の実施例の説明に用いられる図面により、本考案は、より明確なものとなる。
【００１８】
本考案に係る前記交換式エアークッションパウダーボックスは、外箱アセンブリ１とインナーディスクアセンブリ２とを含み、前記外箱アセンブリ１は外箱体１０と外箱蓋１１とを含み、収容室は前記外箱体１０に形成され、前記外箱体１０の上下面にそれぞれ開口し、前記外箱体１０の上側開口と下側開口とを形成し、前記外箱蓋１１は前記外箱体１０に枢着され、前記収容室の上側開口を開閉することができる。
【００１９】
前記インナーディスクアセンブリ２は、中スリーブ２０とインナーディスク２１とを含み、前記インナーディスク２１は開口を有し化粧品を置くために用いられ、前記中スリーブ２０は前記インナーディスク２１の開口側に螺着され、前記インナーディスク２１とともに同軸的に前記収容室に内蔵され、前記中スリーブ２０は前記収容室の上側開口に係止され、前記インナーディスク２１の底部は前記収容室の下側開口に対して突出または縮退することができる。前記中スリーブは前記収容室の開口側に螺着されることで、インナーディスク内の化粧料品質を長時間保持でき、使い方は便利で斬新である。
【００２０】
本考案では、前記外箱体１０は、上下両側が共に開口する中空円柱状の基部１００と、前記基部１００の下側開口の縁に一体に形成され、径方向の内向きに延伸するフランジ１０１とを有し、前記基部１００は、前記フランジ１０１とともに前記収容室を囲んで収容室を形成する。
【００２１】
前記外箱蓋１１の一方側はヒンジを介して前記基部１００の一方側の外壁に枢着され、前記外箱蓋１１の他方側には第１フックが設けられ、前記基部１００の他方側の外壁には前記第１フックに係合する第２フックが一体に形成され、前記第１フックは前記第２フックに係脱可能である。
【００２２】
好ましくは、前記外箱蓋１１には、その一方側寄りの位置にＬ型後リブ１２が固定的に設けられ、前記Ｌ型後リブ１２は、弾性を有し、前記基部１００の外壁に弾性的に当接する。即ち、前記Ｌ型後リブ１２で外箱蓋を弾性的に開けられる。
【００２３】
好ましくは、前記外箱蓋１１で前記収容室の上側開口を閉鎖する状態を基準として、前記外箱蓋１１の前記収容室に向かう内側面にレンズ１３が固定的に設けられる。
【００２４】
好ましくは、前記中スリーブ２０は、第１中スリーブ２０１と第２中スリーブ２０２とを含み、前記中スリーブ２０が前記インナーディスク２１の開口側に螺着された状態を基準として、前記第１中スリーブ２０１は、円板状の第１本体２０１０と、前記第１本体２０１０の縁から前記インナーディスク２１の後ろ向きに（即ち、上方に）延出し形成された延出部２０１１と、前記延出部２０１１の外側壁から径方向外側に延出し形成された連結部２０１２とを含む。前記第２中スリーブ２０２は、上下両側がともに開口した中空円柱状の第２本体２０２０と、前記第２本体２０２０の上側開口の縁から径方向外向きに延出し下向きに折り曲げて形成された折り曲げ部２０２１と、前記第２本体２０２０の内側壁から径方向内向きに延出し形成された当接部２０２２とを含む。前記連結部２０１２の一方側は、前記折り曲げ部２０２１の一方側に枢着され一体射出成形され、前記第１本体２０１０は、前記第２本体２０２０の上側開口を開閉することができる。
【００２５】
前記インナーディスク２１は、上側が開口した中空円柱構造であるインナーディスク本体２１０を有し、インナーディスクの内腔に化粧品を収容する。中空円柱構造の外側壁に雄ねじ段が形成され、前記第２本体２０２０の内側壁には、前記雄ねじ段に係合する雌ねじ段が形成される。
【００２６】
好ましくは、前記第１本体２０１０で前記第２本体２０２０の上側開口を閉鎖する状態を基準として、前記延出部２０１１の外側壁には、前記当接部２０２２に向かって（即ち、下方に向かって）同軸状に配置された二つの第１気密バー２０１３が設けられ、一つの第１気密バー２０１３は、もう一つの第１気密バー２０１３の内側に位置し、前記当接部２０２２の前記延出部２０１１に向かう側面に、前記延出部２０１１に向かって（即ち、上方に向かって）延伸して一体形成された第２の気密バー２０２３が設けられる。前記第２の気密バー２０２３は二つの第１気密バー２０１３の間に挿入され、前記第２の気密バー２０２３は内側に位置する第１気密バー２０１３に貼り合わせられ、外側に位置する他方の第１気密バー２０１３は前記第２本体２０２０の内側壁に貼り合わされる。
【００２７】
前記第２本体２０２０の内側壁には、前記当接部２０２２と雌ねじ段との間の位置に、複数の気密リブ２２が嵌合される。本考案は第１の気密バーと第２の気密バーを設置することで、第１中スリーブと第２中スリーブとの間の気密シール効果を実現し、複数の気密リブを設置することで、第２本体とインナーディスクとの間の気密シール効果を実現する。よって、本考案は、二重気密シール構造でインナーディスクアセンブリの気密シール効果を最適化した。
【００２８】
好ましくは、前記中スリーブ２０が前記収容室の上側開口に係合される構造は、前記基部１００の内側壁には、上側開口に近い位置に、前記基部１００の内側壁に凹んだ窪みが形成され、前記折り曲げ部２０２１の前記基部１００の外側壁に向かう外側壁に、前記基部の径方向外向きに延伸して二つの凸リブ２０２４が形成される。二つの前記凸リブ２０２４は上下に配置され、下方に位置する一方の凸リブの径方向の幅が上方に位置する他方の凸リブの径方向の幅より小さく（径方向の幅は前記凸リブの基部の径方向に沿って延伸する幅）、下方に位置する一方の凸リブは、前記窪みに自由に挿入でき、上方に位置する他方のリブは、前記基部１００の上側開口の縁に自由に置くことができる。
【００２９】
好ましくは、前記インナーディスク本体２１０の底部外壁には、動力源を収容する収容溝２１１が凹設される。ユーザは、この収容溝に指や硬貨等を置くことにより、収容室に対してインナーディスク本体を内側又は外側に回転させる。また、前記インナーディスク本体の上側開口の縁には、径方向内向きに延伸する突き当てフランジ２１２が形成される。前記中スリーブ２０がインナーディスク本体２１０の開口側に螺着された状態を基準として、前記突き当てフランジ２１２は前記当接部２０２２と当接する。
【００３０】
好ましくは、前記インナーディスク本体２１０の外側壁には、前記インナーディスク本体の周方向に延伸する摩擦リングベルト２１３が形成され、前記摩擦リングベルト２１３は、前記雄ねじ段の下方に位置する。
【００３１】
本考案の前記交換式エアークッションパウダーボックスは、使用方法が二つある。一つの使用方法は、インナーディスク２１を収容室から外側に回旋させてから使用する。もう一つの使用方法は、外箱蓋１１を開けて、インナーディスク２１を中スリーブ２０と共に収容室から上方へ突出させた後、インナーディスク２１と中スリーブ２０とを回旋で分けてから使用する。
【符号の説明】
【００３２】
１        外箱アセンブリ          １０      外箱体
１１      外箱蓋                  １２      Ｌ型後リブ
１３      レンズ                  １００    基部
１０１    フランジ                ２        インナーディスクアセンブリ
２０      中スリーブ              ２１      インナーディスク
２２      気密リブ                ２０１    第１中スリーブ
２０２    第２中スリーブ          ２０１０  第１本体
２０１１  延出部                  ２０１２  連結部
２０１３  第１気密バー            ２０２０  第２本体
２０２１  折り曲げ部              ２０２２  当接部
２０２３  第２の気密バー          ２０２４  凸リブ
２１０    インナーディスク本体    ２１１    収容溝
２１３    摩擦リングベルト        ２１２    突き当てフランジ
【図１】
0003220493.tif 000003
【図２】
0003220493.tif 000004
【図３】
0003220493.tif 000005
【図４】
0003220493.tif 000006
【図５】
0003220493.tif 000007
【図６】
0003220493.tif 000008